(57)【要約】【課題】様々な状態の既存の建物を、分散型発電装置及び蓄電装置の両方が備わるようにし、最新の分散型発電システムに対応させることができる建物の改修方法を提供する。【解決手段】既存の建物１に、分散型発電装置としての太陽光発電装置２及び蓄電装置としての蓄電池４の両方が備わるようにする建物の改修方法であって、建物１に、太陽光発電装置２及び蓄電池４の不足分を設置する工程と、建物１に、太陽光発電装置２用と蓄電池４用とのいずれにも用いることが可能な複合型のパワーコンディショナ装置３０を設置する工程とを有する構成とされている。【選択図】図１
2016176178.tif 000002
【特許請求の範囲】
【請求項１】
既存の建物に、分散型発電装置及び蓄電装置の両方が備わるようにする建物の改修方法であって、
前記建物に、前記分散型発電装置及び前記蓄電装置の不足分を設置する工程と、
前記建物に、前記分散型発電装置用と前記蓄電装置用とのいずれにも用いることが可能な複合型のパワーコンディショナ装置を設置する工程とを有することを特徴とする建物の改修方法。
【請求項２】
前記分散型発電装置は、太陽光発電装置であることを特徴とする請求項１に記載の建物の改修方法。
【請求項３】
前記建物に、前記分散型発電装置及び前記蓄電装置のいずれも無い状態から、前記分散型発電装置及び前記蓄電装置の両方を備えた状態とすることを特徴とする請求項１又は２に記載の建物の改修方法。
【請求項４】
前記建物に、前記分散型発電装置のみを備えた状態から、前記蓄電装置も備えた状態とし、既設のパワーコンディショナ装置を撤去し、前記複合型のパワーコンディショナ装置に交換することを特徴とする請求項１又は２に記載の建物の改修方法。
【請求項５】
前記建物に、前記分散型発電装置のみを備えた状態から、前記蓄電装置も備えるとともに、前記分散型発電装置を増設した状態とし、既設のパワーコンディショナ装置を前記既設の分散型発電装置用のものとして残すことを特徴とする請求項１又は２に記載の建物の改修方法。
【請求項６】
前記建物の外壁の表面に横架材を固定し、当該横架材に、前記複合型のパワーコンディショナ装置を、その取付金具を介して取り付けることを特徴とする請求項１乃至５のいずれか１項に記載の建物の改装方法。
【請求項７】
前記横架材は、垂直方向に間隔をあけて、少なくとも２つ設けることを特徴とする請求項６に記載の建物の改装方法。
【請求項８】
前記建物の前記外壁は、タイル外壁であり、前記横架材は、固定部材により、当該タイル外壁の目地部分に固定することを特徴とする請求項６又は７に記載の建物の改装方法。
【請求項９】
前記固定部材は、前記タイル外壁の目地部分の裏面の外壁補強部材まで貫通させて固定することを特徴とする請求項８に記載の建物の改装方法。
【発明の詳細な説明】
【技術分野】
【０００１】
本発明は、建物の改修方法に関するものである。
【背景技術】
【０００２】
従来から、太陽光発電装置等の分散型発電装置を建物に設置して、電力を創出できるようにした分散型発電システムを備えた建物が提案され、実施に供されている（例えば特許文献１〜４等を参照）。
【先行技術文献】
【特許文献】
【０００３】
【特許文献１】特開２００１−０４４４８２号公報
【特許文献２】特開２００１−２８４６２６号公報
【特許文献３】特開２００５−３３６９２９号公報
【特許文献４】特開２０１１−０１７１７５号公報
【特許文献５】特開２０１３−０２７１２７号公報
【発明の概要】
【発明が解決しようとする課題】
【０００４】
このような分散型発電システムを備えた建物では、当初は、分散型発電装置から発電された電力を、その建物内のみで消費するだけであったが、時代が進むにつれ、電力会社への売電が可能なようになり、更に最近では、建物に蓄電池を設置することも普及し始めたことから、蓄電装置に分散型発電装置で発電された電力を蓄電することも可能となってきた。
【０００５】
しかしながら、様々な状態の既存の建物を、分散型発電装置及び蓄電装置の両方が備わるようにし、最新の分散型発電システムに対応させることができる建物の改修方法については、まだ見聞されない。なお、分散型発電装置及び蓄電装置の両方が備わるようにするだけの技術なら既にあるが、建物に設置するパワーコンディショナ装置として、分散型発電装置専用のものと、蓄電装置専用のものとを用いなければならないものであった（例えば特許文献５等を参照）。
【０００６】
そこで、本発明は、様々な状態の既存の建物を、分散型発電装置及び蓄電装置の両方が備わるようにし、最新の分散型発電システムに対応させることができる建物の改修方法を提供することを目的としている。
【課題を解決するための手段】
【０００７】
前記目的を達成するために、本発明の建物の改修方法は、既存の建物に、分散型発電装置及び蓄電装置の両方が備わるようにする建物の改修方法であって、前記建物に、前記分散型発電装置及び前記蓄電装置の不足分を設置する工程と、前記建物に、前記分散型発電装置用と前記蓄電装置用とのいずれにも用いることが可能な複合型のパワーコンディショナ装置を設置する工程とを有することを特徴とする。
【０００８】
ここで、前記分散型発電装置は、太陽光発電装置であるとよい。
【０００９】
また、前記建物に、前記分散型発電装置及び前記蓄電装置のいずれも無い状態から、前記分散型発電装置及び前記蓄電装置の両方を備えた状態としてもよい。
【００１０】
さらに、前記建物に、前記分散型発電装置のみを備えた状態から、前記蓄電装置も備えた状態とし、既設のパワーコンディショナ装置を撤去し、前記複合型のパワーコンディショナ装置に交換してもよい。
【００１１】
また、前記建物に、前記分散型発電装置のみを備えた状態から、前記蓄電装置も備えるとともに、前記分散型発電装置を増設した状態とし、既設のパワーコンディショナ装置を前記既設の分散型発電装置用のものとして残してもよい。
【００１２】
さらに、前記建物の外壁の表面に横架材を固定し、当該横架材に、前記複合型のパワーコンディショナ装置を、その取付金具を介して取り付けるとよい。
【００１３】
ここで、前記横架材は、垂直方向に間隔をあけて、少なくとも２つ設けるとよい。
【００１４】
また、前記建物の前記外壁は、タイル外壁であり、前記横架材は、固定部材により、当該タイル外壁の目地部分に固定するとよい。
【００１５】
さらに、前記固定部材は、前記タイル外壁の目地部分の裏面の外壁補強部材まで貫通させて固定するとよい。
【発明の効果】
【００１６】
このような本発明の建物の改修方法は、既存の建物に、分散型発電装置及び蓄電装置の両方が備わるようにする建物の改修方法であって、建物に、分散型発電装置及び蓄電装置の不足分を設置する工程と、建物に、分散型発電装置用と蓄電装置用とのいずれにも用いることが可能な複合型のパワーコンディショナ装置を設置する工程とを有する構成とされている。
【００１７】
上記した構成なので、様々な状態の既存の建物を、分散型発電装置及び蓄電装置の両方が備わるようにし、最新の分散型発電システムに対応したものに改修することができる。
【００１８】
ここで、分散型発電装置は、太陽光発電装置である場合は、太陽光発電装置は、分散型発電装置の中では比較的安価な方なので、多くの建物に適用することができる。
【００１９】
また、建物に、分散型発電装置及び蓄電装置のいずれも無い状態から、分散型発電装置及び蓄電装置の両方を備えた状態とする場合は、建物を、旧式の分散型発電システムさえ備えていない状態から、最新の分散型発電システムを備えた状態にすることができる。
【００２０】
さらに、建物に、分散型発電装置のみを備えた状態から、蓄電装置も備えた状態とし、既設のパワーコンディショナ装置を撤去し、複合型のパワーコンディショナ装置に交換する場合は、旧式の分散型発電システムを備えた状態から、最新の分散型発電システムを備えた状態にすることができる。
【００２１】
また、建物に、分散型発電装置のみを備えた状態から、蓄電装置も備えるとともに、分散型発電装置を増設した状態とし、既設のパワーコンディショナ装置を既設の分散型発電装置用のものとして残す場合は、旧式の分散型発電システムを備えた状態から、最新の分散型発電システムを備えた状態にすることができ、分散型発電装置を増設した分、電力の創出量もアップし、そのうえ、既設のパワーコンディショナ装置を有効利用することができる。
【００２２】
さらに、建物の外壁の表面に横架材を固定し、横架材に、複合型のパワーコンディショナ装置を、その取付金具を介して取り付ける場合は、横架材の存在によりできる複合型のパワーコンディショナ装置の裏面のスペースで排熱が行えるので、旧式のパワーコンディショナ装置よりも多機能になり、より排熱量が多いこの複合型のパワーコンディショナ装置を取り付ける際に特に好適である。
【００２３】
ここで、横架材は、垂直方向に間隔をあけて、少なくとも２つ設ける場合は、複合型のパワーコンディショナ装置の取付強度が増すとともに、横架材間に排熱するスペースを確保することができる。
【００２４】
また、建物の外壁は、タイル外壁であり、横架材は、固定部材により、タイル外壁の目地部分に固定する場合は、固定部材は、タイル外壁のタイル部分で固定すると、亀裂が入ってしまうが、この弊害を防止することができる。
【００２５】
さらに、固定部材は、タイル外壁の目地部分の裏面の外壁補強部材まで貫通させて固定する場合は、横架材をより強固に固定することができる。
【図面の簡単な説明】
【００２６】
【図１】実施例１の建物の改修方法において、（ａ）は、改修前の建物の概略構成を示す説明図であり、（ｂ）は、改修後の建物の概略構成を示す説明図である。
【図２】実施例１の建物の改修方法において、外壁に配線用の孔を設けた段階を示す図である。
【図３】実施例１の建物の改修方法において、横架材を固定し、横架材に複合型のパワーコンディショナ装置の取付金具を固定するとともに、配線用の孔を防水ボックスで塞いだ段階を示す図である。
【図４】実施例１の建物の改修方法において、複合型のパワーコンディショナ装置を取り付け終えた段階を示す説明図である。
【図５】実施例２の建物の改修方法において、（ａ）は、改修前の建物の概略構成を示す説明図であり、（ｂ）は、改修後の建物の概略構成を示す説明図である。
【図６】実施例３の建物の改修方法において、（ａ）は、改修前の建物の概略構成を示す説明図であり、（ｂ）は、改修後の建物の概略構成を示す説明図である。
【図７】実施例４の建物の改修方法において、（ａ）は、改修前の建物の概略構成を示す説明図であり、（ｂ）は、改修後の建物の概略構成を示す説明図である。
【図８】実施例５の建物の改修方法において、（ａ）は、改修前の建物の概略構成を示す説明図であり、（ｂ）は、改修後の建物の概略構成を示す説明図である。
【発明を実施するための形態】
【００２７】
以下、本発明を実施するための形態を、図面に示す実施例１〜５に基づいて説明する。
【実施例１】
【００２８】
先ず、実施例１の構成について説明する。
【００２９】
この実施例１の建物の改修方法では、図１（ａ）に示したように、分散型発電装置としての太陽光発電装置２及び蓄電装置としての蓄電池４のいずれも無い状態の既存の建物１に施工するものである。
【００３０】
この建物１において、図１（ｂ）に示したように、屋根１ａの上に、分散型発電装置としての太陽光発電装置２を設置し、建物１内に、蓄電装置としての蓄電池４を設置し、太陽光発電装置２用と蓄電池４用とのいずれにも用いることが可能な複合型のパワーコンディショナ装置３０を外壁１ｂの表面に設置し、各種配線を行うと施工が完了する。
【００３１】
これにより、太陽光発電装置２で発電した電力を、建物１内で消費可能であるとともに、電力会社への売電も可能で、蓄電池４に蓄電しておくことも可能な最新の分散型発電システムを備えた建物１となる。
【００３２】
次に、この実施例１の建物の改修方法を、より詳細に説明する。
【００３３】
この実施例１の建物の改修方法において、複合型のパワーコンディショナ装置３０を取り付けるに際し、まず、図２に示したように、外壁１ｂのこの複合型のパワーコンディショナ装置３０を取り付ける位置の近傍に、配線用の孔１ｃを設ける。
【００３４】
続いて、図３に示したように、外壁１ｂの表面に、垂直方向に間隔をあけて、２つの横架材６，６を固定して設ける。
【００３５】
また、２つの横架材６，６には、取付金具７を、ビス７ａ，・・・で固定する。
【００３６】
さらに、その近傍に設けた配線用の孔１ｃは、防水ボックス８を被せて塞ぐ。
【００３７】
なお、建物１の外壁１ｂはタイル外壁であり、横架材６，６は、ビス孔を有し、このタイル外壁の目地部分に固定部材としてのビス１０，・・・により固定している。
【００３８】
また、この固定部材としてのビス１０，・・・が固定されるタイル外壁の目地部分の裏面には、外壁補強部材としての枠材９が設けられており、ビス１０，・・・は、この枠材９まで貫通させて固定する。
【００３９】
最後に、複合型のパワーコンディショナ装置３０を取り付け、配線５ａ，５ｂ，５ｃ，５ｄを配線すると、図４に示したように、この実施例１の建物の改修方法が完了する。
【００４０】
なお、配線５ａは、複合型のパワーコンディショナ装置３０と蓄電池４とを防水ボックス８を介して接続するものである。
【００４１】
また、配線５ｂ，５ｄは、複合型のパワーコンディショナ装置３０と太陽光発電装置２とを防水ボックス８を介して接続するものである。
【００４２】
さらに、配線５ｃは、複合型のパワーコンディショナ装置３０と図示省略の分電盤とを防水ボックス８を介して接続するものである。
【００４３】
なお、この既設の分電盤が分岐回路数の少ない旧式のものである場合には、不足分を補う分岐回路数を有する新たな分電盤を増設する。
【００４４】
次に、実施例１の作用効果について説明する。
【００４５】
このような実施例１の建物の改修方法は、既存の建物１に、分散型発電装置としての太陽光発電装置２及び蓄電装置としての蓄電池４の両方が備わるようにする建物の改修方法であって、建物１に、太陽光発電装置２及び蓄電池４の不足分を設置する工程と、建物１に、太陽光発電装置２用と蓄電池４用とのいずれにも用いることが可能な複合型のパワーコンディショナ装置３０を設置する工程とを有する構成とされている。
【００４６】
上記した構成なので、様々な状態の既存の建物１を、分散型発電装置としての太陽光発電装置２及び蓄電装置としての蓄電池４の両方が備わるようにし、最新の分散型発電システムに対応したものに改修することができる。
【００４７】
ここで、分散型発電装置には、太陽光発電装置２が用いられている。
【００４８】
このため、太陽光発電装置２は、分散型発電装置の中では比較的安価な方なので、多くの建物１に適用することができる。
【００４９】
また、建物１に、分散型発電装置としての太陽光発電装置２及び蓄電装置としての蓄電池４のいずれも無い状態から、太陽光発電装置２及び蓄電池４の両方を備えた状態とする。
【００５０】
このため、建物１を、旧式の分散型発電システムさえ備えていない状態から、最新の分散型発電システムを備えた状態にすることができる。
【００５１】
さらに、建物１の外壁１ｂの表面に横架材６，６を固定し、横架材６，６に、複合型のパワーコンディショナ装置３０を、その取付金具７を介して取り付ける。
【００５２】
このため、横架材６，６の存在によりできる複合型のパワーコンディショナ装置３０の裏面のスペースで排熱が行えるので、旧式のパワーコンディショナ装置よりも多機能になり、より排熱量が多いこの複合型のパワーコンディショナ装置３０を取り付ける際に特に好適である。
【００５３】
ここで、横架材６は、垂直方向に間隔をあけて、２つ設ける。
【００５４】
このため、複合型のパワーコンディショナ装置３０の取付強度が増すとともに、横架材６，６間に排熱するスペースを確保することができる。
【００５５】
また、建物１の外壁１ｂは、タイル外壁であり、横架材６，６は、固定部材としてのビス１０，・・・により、タイル外壁の目地部分に固定する。
【００５６】
このため、固定部材としてのビス１０，・・・は、タイル外壁のタイル部分で固定すると、亀裂が入ってしまうが、この弊害を防止することができる。
【００５７】
さらに、固定部材としてのビス１０，・・・は、タイル外壁の目地部分の裏面の外壁補強部材としての枠材９まで貫通させて固定する。
【００５８】
このため、横架材６，６をより強固に固定することができる。
【実施例２】
【００５９】
次に、実施例２について説明する。
【００６０】
なお、実施例１で説明した内容と同一乃至均等な部分の説明については同一符号を付して説明する。
【００６１】
図５は、実施例２の建物の改修方法の概略構成を示している。
【００６２】
この実施例２では、改修前、建物１は、分散型発電装置としての太陽光発電装置２と、この太陽光発電装置２用の旧式である既設のパワーコンディショナ装置３のみを備えている。
【００６３】
そして、改修後には、この既設のパワーコンディショナ装置３を撤去し、複合型のパワーコンディショナ装置３０に交換し、蓄電装置としての蓄電池４を設置することが実施例１と主に異なる。
【００６４】
このため、建物１は、旧式の分散型発電システムを備えた状態から、最新の分散型発電システムを備えた状態にすることができる。
【００６５】
なお、他の構成及び作用効果については、実施例１と略同様であるので説明を省略する。
【実施例３】
【００６６】
次に、実施例３について説明する。
【００６７】
なお、実施例１で説明した内容と同一乃至均等な部分の説明については同一符号を付して説明する。
【００６８】
図６は、実施例３の建物の改修方法の概略構成を示している。
【００６９】
この実施例３では、改修前、建物１は、分散型発電装置としての太陽光発電装置２と、この太陽光発電装置２用の旧式である既設のパワーコンディショナ装置３のみを備えている。
【００７０】
そして、改修後には、この既設のパワーコンディショナ装置３を撤去し、複合型のパワーコンディショナ装置３０に交換し、蓄電装置としての蓄電池４を設置するとともに、太陽光発電装置２を増設することが実施例１と主に異なる。
【００７１】
このため、建物１は、旧式の分散型発電システムを備えた状態から、最新の分散型発電システムを備えた状態にすることができるうえに、太陽光発電装置２を増設した分、電力の創出量もアップさせることができる。
【００７２】
なお、他の構成及び作用効果については、実施例１と略同様であるので説明を省略する。
【実施例４】
【００７３】
次に、実施例４について説明する。
【００７４】
なお、実施例１で説明した内容と同一乃至均等な部分の説明については同一符号を付して説明する。
【００７５】
図７は、実施例４の建物の改修方法の概略構成を示している。
【００７６】
この実施例４では、改修前、建物１は、分散型発電装置としての太陽光発電装置２，２と、この太陽光発電装置２，２用の旧式である既設のパワーコンディショナ装置３のみを備えている。
【００７７】
そして、改修後には、この既設のパワーコンディショナ装置３はそのまま残して一方の太陽光発電装置２用のパワーコンディショナ装置として利用し、複合型のパワーコンディショナ装置３０も設置して、蓄電装置としての蓄電池４を設置し、複合型のパワーコンディショナ装置３０を、他方の太陽光発電装置２用と蓄電池４用とのいずれにも用いることが実施例１と主に異なる。
【００７８】
このため、建物１は、旧式の分散型発電システムを備えた状態から、最新の分散型発電システムを備えた状態にすることができるうえに、既設のパワーコンディショナ装置３を有効利用することができる。
【００７９】
なお、他の構成及び作用効果については、実施例１と略同様であるので説明を省略する。
【実施例５】
【００８０】
次に、実施例５について説明する。
【００８１】
なお、実施例１で説明した内容と同一乃至均等な部分の説明については同一符号を付して説明する。
【００８２】
図８は、実施例５の建物の改修方法の概略構成を示している。
【００８３】
この実施例５では、改修前、建物１は、分散型発電装置としての太陽光発電装置２，２と、この太陽光発電装置２，２用の旧式である既設のパワーコンディショナ装置３のみを備えている。
【００８４】
そして、改修後には、この既設のパワーコンディショナ装置３はそのまま残して一方の太陽光発電装置２用のパワーコンディショナ装置として利用し、複合型のパワーコンディショナ装置３０も設置して、蓄電装置としての蓄電池４を設置するとともに、太陽光発電装置２を増設し、複合型のパワーコンディショナ装置３０を、他方の太陽光発電装置２及び増設した太陽光発電装置２用と蓄電池４用とのいずれにも用いることが実施例１と主に異なる。
【００８５】
このため、建物１は、旧式の分散型発電システムを備えた状態から、最新の分散型発電システムを備えた状態にすることができるうえに、既設のパワーコンディショナ装置３を有効利用することができるし、太陽光発電装置２を増設した分、電力の創出量もアップさせることができる。
【００８６】
なお、他の構成及び作用効果については、実施例１と略同様であるので説明を省略する。
【００８７】
以上、図面を参照して、本発明を実施するための形態を実施例１〜５に基づいて詳述してきたが、具体的な構成は、これら実施例１〜５に限らず、本発明の要旨を逸脱しない程度の設計的変更は、本発明に含まれる。
【００８８】
例えば、上記した実施例１〜５では、タイル外壁の外壁１ｂで実施したが、これに限定されず、その他の外壁で実施してもよい。
【００８９】
また、上記した実施例１〜５では、複合型のパワーコンディショナ装置３０を、横架材を用いて取り付けたが、これに限定されず、その他の取付方法を用いて実施してもよい。
【００９０】
また、上記した実施例１〜５では、分散型発電装置として、太陽光発電装置２を用いて実施したが、これに限定されず、風力発電装置等のその他のものを用いて実施してもよい。
【符号の説明】
【００９１】
１      建物
１ａ    建物の屋根
１ｂ    建物の外壁
１ｃ    配線用の孔
２      太陽光発電装置（分散型発電装置）
３      既設のパワーコンディショナ装置
３０    複合型のパワーコンディショナ装置
４      蓄電池（蓄電装置）
５１ａ  配線
５１ｂ  配線
５１ｃ  配線
５１ｄ  配線
６      横架材
７      取付金具
７ａ    ビス
８      防水ボックス
９      枠材（外壁補強部材）
１０    ビス（固定部材）
【図１】
2016176178.tif 000003
【図２】
2016176178.tif 000004
【図３】
2016176178.tif 000005
【図４】
2016176178.tif 000006
【図５】
2016176178.tif 000007
【図６】
2016176178.tif 000008
【図７】
2016176178.tif 000009
【図８】
2016176178.tif 000010